(57)【要約】【課題】本発明は、受信者側において光キャリアを注入することなく復調が可能であり、さらに、高いサイドバンド抑圧度を得ることができる光ＳＳＢ送信装置の提供を目的とする。【解決手段】本発明に係る光ＳＳＢ送信装置は、シングルキャリア信号発生器１２の発生させた周波数ｆｏを有する振幅が一定のシングルキャリア電気信号と、マルチキャリア信号発生器１１の発生させた周波数帯ｆｓを有するマルチキャリア電気信号との周波数多重信号によって、キャリア光を、キャリア抑圧光ＳＳＢ変調器で変調して、変調された変調信号光を出力する。【選択図】図１
2008271072.tif 000002
【特許請求の範囲】
【請求項１】
予め定められた周波数帯のマルチキャリア電気信号を発生させるマルチキャリア信号発生器と、
前記マルチキャリア電気信号の周波数帯と異なる予め定められた周波数のシングルキャリア電気信号を発生させるシングルキャリア信号発生器と、
前記マルチキャリア信号発生器の発生させたマルチキャリア電気信号の周波数帯を、前記シングルキャリア電気信号の周波数だけ高くなるよう周波数変換する周波数変換器と、
波長が一定のキャリア光を、前記周波数変換器の周波数変換したマルチキャリア電気信号及び前記シングルキャリア信号発生器の発生させたシングルキャリア電気信号で強度変調し、側波帯の一方の波長成分及び前記キャリア光の波長成分を抑圧するキャリア抑圧光ＳＳＢ変調器と、を備えることを特徴とする光ＳＳＢ送信装置。
【請求項２】
前記周波数変換器は、前記マルチキャリア信号発生器の発生させたマルチキャリア電気信号を、前記シングルキャリア信号発生器の発生させるシングルキャリア電気信号で振幅変調する振幅変調器であることを特徴とする請求項１に記載の光ＳＳＢ送信装置。
【請求項３】
前記周波数変換器は、前記マルチキャリア信号発生器の発生させたマルチキャリア電気信号の周波数帯を、前記シングルキャリア信号発生器の発生させるシングルキャリア電気信号の周波数だけ高周波数側にシフトさせる周波数アップコンバータであることを特徴とする請求項１に記載の光ＳＳＢ送信装置。
【請求項４】
前記シングルキャリア電気信号は、振幅が一定であることを特徴とする請求項１から３のいずれかに記載の光ＳＳＢ送信装置。
【発明の詳細な説明】
【技術分野】
【０００１】
本発明は、電気信号によって変調された光信号を得る光送信装置に関する。特に、片側の側波帯を抑圧して出力する光ＳＳＢ（Ｓｉｎｇｌｅ  Ｓｉｄｅｂａｎｄ）信号送信技術に関する。
【背景技術】
【０００２】
光送信装置に備わる光変調器には、光の強度を変調する強度変調方式が広く知られている。この強度変調方式には、両側の側波帯を出力する方式、いわゆる光ＤＳＢ（Ｄｏｕｂｌｅ  Ｓｉｄｅｂａｎｄ）変調方式と、片側の側波帯を抑圧して出力する光ＳＳＢ変調方式とがある（非特許文献１及び２参照。）。
【０００３】
光ＤＳＢ変調方式では、光信号伝送を行うと、光ファイバの分散（Ｃｈｒｏｍａｔｉｃ  Ｄｉｓｐｅｒｓｉｏｎ）によって、波形が劣化し、また、その振幅が増減してしまい、伝送距離に制限を受けてしまうという問題があった。一方、光ＳＳＢ変調方式では、光信号伝送を行っても、光ファイバの分散によっては、波形は劣化せず、また、その振幅が一定となり、伝送距離に制限を受けないという利点がある。
【０００４】
これまでに、光ＳＳＢ変調を得るには、ＬＮ−ＭＺ（Ｌｉｔｈｉｕｍ  Ｎｉｏｂａｔｅ  Ｍａｃｈ−Ｚｅｈｎｄａｒ）変調器による方法が知られている。このＬＮ−ＭＺ変調器には、片側の側波帯と併せて光キャリアを抑圧して、光キャリアは出力せずに、抑圧しない他方の片側の側波帯のみを出力するタイプがある。一方、片側の側波帯のみを抑圧し、光キャリアを抑圧しないで、光キャリアと片側の側波帯を出力するタイプがある。ここでは、前者をキャリア抑圧光ＳＳＢ変調器と呼び、後者をキャリア非抑圧光ＳＳＢ変調器と呼ぶ。
【０００５】
図８は、従来のキャリア抑圧光ＳＳＢ送信装置の一例を示す概略構成図である。図９は、従来のキャリア抑圧光ＳＳＢ送信装置の出力する変調信号光の一例を示す光スペクトルである。ＤＦＢ−ＬＤ（Ｄｉｓｔｒｉｂｕｔｅｄ  ｆｅｅｄｂａｃｋ  ｌａｓｅｒ  ｄｉｏｄｅ）３１からの波長１５５９ｎｍのキャリア光を、キャリア抑圧光ＳＳＢ変調器３６に入力する。また、マルチキャリア信号発生器３２で発生させたマルチキャリア電気信号（８キャリア、周波数帯ｆｓ＝１１．７２７ＧＨｚ〜１１．９９６ＧＨｚ）をカプラ３７で分岐した後、２つの信号にフェーズシフタ３４ａ、３４ｂであらかじめ定められた周波数成分の位相をシフトさせて位相を調整し、キャリア抑圧光ＳＳＢ変調器３６に入力する。キャリア抑圧光ＳＳＢ変調器３６は、片側の側波帯５２ｂと併せて光キャリア５０の波長１５５９ｎｍの成分を抑圧して、光キャリア５０は出力せずに、抑圧しない他方の片側の側波帯５２ａのみを出力する。キャリア抑圧光ＳＳＢ変調器３６で得た変調された変調信号光を、光ファイバを用いて光伝送する。この場合には、受信者側では、光キャリア５０を注入することによって、復調を可能とする。
【０００６】
図１０は、従来のキャリア非抑圧光ＳＳＢ送信装置の一例を示す概略構成図である。図１１は、従来のキャリア非抑圧光ＳＳＢ送信装置の出力する変調信号光の一例を示す光スペクトルである。ＤＦＢ−ＬＤ３１からの波長１５５９ｎｍのキャリア光を、キャリア非抑圧光ＳＳＢ変調器３５に入力する。また、衛星（ＢＳ、Ｂｒｏａｄｃａｓｔ  Ｓａｔｅｌｌｉｔｅ）信号キャリア５２ａ、５２ｂ用のマルチキャリア電気信号をマルチキャリア信号発生器３２で発生させ、カプラ３３で分岐した後、２つの信号にフェーズシフタ３４ａ、３４ｂで位相を調整してキャリア非抑圧光ＳＳＢ変調器３５に入力する。キャリア非抑圧光ＳＳＢ変調器３５は、片側の側波帯５２ｂのみを抑圧し、光キャリア５０の波長成分を抑圧しないで、光キャリア５０と抑圧しない他方の片側の側波帯５２ａとを出力する。キャリア非抑圧光ＳＳＢ変調器３５で得た変調された変調信号光には、光キャリア５０と、長波長側の側波帯５２ａによって生成された衛星信号キャリアと、が含まれている。このため、キャリア非抑圧光ＳＳＢ変調器３５で得た変調された変調信号光を送信信号として、光ファイバを用いて光伝送すると、受信者側では、光キャリア５０を注入することなく復調できる。
【非特許文献１】Ｄ．Ｆｏｎｓｅｃａ，Ａ．Ｖ．Ｔ．Ｃａｒｔａｘｏ  ａｎｄ  Ｐ．Ｍｏｎｔｅｉｒｏ，“Ｏｐｔｉｃａｌ  ｓｉｎｇｌｅ−ｓｉｄｅｂａｎｄ  ｔｒａｎｓｍｉｔｔｅｒ  ｆｏｒ  ｖａｒｉｏｕｓ  ｅｌｅｃｔｒｉｃａｌ  ｓｉｇｎａｌｉｎｇ  ｆｏｒｍａｔｓ，”  Ｊ．Ｌｉｇｈｔｗａｖｅ  Ｔｅｃｈ．，  ｖｏｌ．２４，ｎｏ．５，ｐｐ．２０５９−２０６９，Ｍａｙ．２００６
【非特許文献２】Ｊ．Ｐａｒｋ，Ｗ．Ｖ．Ｔ．Ｓｏｒｉｎ  ａｎｄ  Ｋ．Ｙ．Ｌａｕ，“Ｅｌｍｉｎａｔｉｏｎ  ｏｆ  ｔｈｅ  ｆｉｂｒｅ  ｃｈｒｏｍａｔｉｃ  ｄｉｓｐｅｒｓｉｏｎ  ｐｅｎａｌｔｙ  １５５０ｎｍ  ｍｉｌｉｍｅｔｒｅ−ｗａｖｅ  ｏｐｔｉｃａｌ  ｔｒａｎｓｍｉｓｓｉｏｎ，”Ｅｌｅｃｔｒｏｎ．Ｌｅｔｔ．，ｖｏｌ．３３，ｎｏ．６，ｐｐ．５１２−５１３，Ｍａｒ．１９９７
【発明の開示】
【発明が解決しようとする課題】
【０００７】
従来の光ＳＳＢ送信装置では、図８及び図１０に示すように、フェーズシフタ３４ａ及び３４ｂによって、キャリア光を変調する電気信号の位相を調整し、最大のサイドバンド抑圧度を得る。ところが、そのサイドバンド抑圧度の程度が、キャリア抑圧光ＳＳＢ変調器又はキャリア非抑圧光ＳＳＢ変調器の電極に入力する電気信号の振幅と位相の精度に依存し、高いサイドバンド抑圧度を得るのは困難であった。
【０００８】
高いサイドバンド抑圧度を光ＳＳＢ送信装置によって得ることができれば、光信号伝送を行っても、光ファイバの分散によっては、波形は劣化せず、また、波形の振幅が一定となり、伝送可能な距離に制限を受けないという理想的な伝送ができる。しかし、高いサイドバンド抑圧度を光ＳＳＢ送信装置によって得ることができずに、光信号伝送を行うと、光ファイバの分散によって、波形が若干劣化し、また、その振幅が一定とならずに増減し、その振幅の増減の程度によって、伝送可能な距離に制限を受けてしまう。
【０００９】
本発明は、受信者側において光キャリアを注入することなく復調が可能であり、さらに、高いサイドバンド抑圧度を得ることができる光ＳＳＢ送信装置の提供を目的とする。
【課題を解決するための手段】
【００１０】
このような目的を達成するため、本発明に係る光ＳＳＢ送信装置は、周波数ｆｏを有する振幅が一定のシングルキャリア電気信号と、周波数帯ｆｓを有するマルチキャリア電気信号との周波数多重信号によって、キャリア光を、キャリア抑圧光ＳＳＢ変調器で変調して、変調された光信号を出力する。
【００１１】
具体的には、本発明に係る光ＳＳＢ送信装置は、予め定められた周波数帯のマルチキャリア電気信号を発生させるマルチキャリア信号発生器と、前記マルチキャリア電気信号の周波数帯と異なる予め定められた周波数のシングルキャリア電気信号を発生させるシングルキャリア信号発生器と、前記マルチキャリア信号発生器の発生させたマルチキャリア電気信号の周波数帯を、前記シングルキャリア電気信号の周波数だけ高くなるよう周波数変換する周波数変換器と、波長が一定のキャリア光を、前記周波数変換器の周波数変換したマルチキャリア電気信号及び前記シングルキャリア信号発生器の発生させたシングルキャリア電気信号で強度変調し、側波帯の一方の波長成分及び前記キャリア光の波長成分を抑圧するキャリア抑圧光ＳＳＢ変調器と、を備えることを特徴とする。
【００１２】
キャリア抑圧光ＳＳＢ変調器は、強度変調により生じた側波帯の片側のみを変調信号光として出力する。出力される変調信号光には、シングルキャリア電気信号による側波帯と、マルチキャリア電気信号による側波帯と、が含まれている。マルチキャリア電気信号による側波帯を新たな衛星信号キャリアとして利用し、シングルキャリア電気信号による側波帯を新たな光キャリアとして利用することができる。新たな光キャリアと衛星信号キャリアによる側波帯との周波数差は、元の衛星信号キャリアの周波数に等しい。このため、受信側では光キャリアを注入することなく復調を行うことができる。さらに、新たな光キャリアを中心とした衛星信号キャリアの周波数帯にはマルチキャリア電気信号による片方の側波帯しか存在しないため、高いサイドバンド抑圧度を得ることができる。
【００１３】
本発明に係る光ＳＳＢ送信装置では、前記周波数変換器は、前記マルチキャリア信号発生器の発生させたマルチキャリア電気信号を、前記シングルキャリア信号発生器の発生させるシングルキャリア電気信号で振幅変調する振幅変調器であることが好ましい。シングルキャリア電気信号の周波数成分の信号と、マルチキャリア電気信号のキャリアそれぞれの周波数とシングルキャリア電気信号の周波数とを加算した周波数成分の信号と、同時に発生させることができる。
【００１４】
本発明に係る光ＳＳＢ送信装置では、前記周波数変換器は、前記マルチキャリア信号発生器の発生させたマルチキャリア電気信号の周波数帯を、前記シングルキャリア信号発生器の発生させるシングルキャリア電気信号の周波数だけ高周波数側にシフトさせる周波数アップコンバータであることが好ましい。マルチキャリア電気信号の周波数帯を高周波数側にシフトさせることで、シングルキャリア電気信号の周波数成分の信号に加え、マルチキャリア電気信号のそれぞれのキャリアの周波数とシングルキャリア電気信号の周波数とを加算した周波数成分の信号を発生させることができる。さらに、マルチキャリア電気信号のキャリアそれぞれの周波数とシングルキャリア電気信号の周波数とを減算した周波数成分の信号などの不要な周波数の信号が発生しないため、光信号伝送時における信号の劣化を防ぐことができる。
【００１５】
本発明に係る光ＳＳＢ送信装置では、前記シングルキャリア電気信号は、振幅が一定であることが好ましい。新たなキャリア光の振幅が一定となるので、伝送距離の制限を受けずに新たな光キャリア及び衛星信号キャリアの伝送をすることができる。
【発明の効果】
【００１６】
本発明により、受信者側において光キャリアを注入することなく復調が可能であり、さらに、高いサイドバンド抑圧度を得ることができる光ＳＳＢ送信装置を提供することができる。高いサイドバンド抑圧度を得ることにより、光ＳＳＢ送信装置を用いて光信号伝送を行っても、光ファイバの分散による波形の劣化を防ぐことができる。
【発明を実施するための最良の形態】
【００１７】
添付の図面を参照して本発明の実施の形態を説明する。以下に説明する実施の形態は本発明の構成の例であり、本発明は、以下の実施の形態に制限されるものではない。
（実施形態１）
図１は、本実施形態に係る光ＳＳＢ送信装置の概略構成図である。本実施形態に係る光ＳＳＢ送信装置は、マルチキャリア信号発生器１１と、シングルキャリア信号発生器１２と、周波数変換器１７と、合波器１３と、分岐器１８と、フェーズシフタ１９ａ、１９ｂと、光源１６と、キャリア抑圧光ＳＳＢ変調器２０と、を備える。
【００１８】
マルチキャリア信号発生器１１は、予め定められた周波数帯ｆｓのマルチキャリア電気信号を発生させる。マルチキャリア電気信号のキャリア数は、情報を伝送することの可能な数であり、例えば、８又は６４である。マルチキャリア電気信号の周波数帯ｆｓは、例えば、衛星信号キャリアの周波数帯である。衛星信号キャリアの周波数帯は、例えば、１１．７２７ＧＨｚ〜１１．９９６ＧＨｚである。図２に、図１に示すＡ点でのマルチキャリア電気信号の一例を示すスペクトルを示す。キャリア数８のマルチキャリア電気信号が、１１．７２７ＧＨｚ〜１１．９９６ＧＨｚの周波数帯に現れている。
【００１９】
シングルキャリア信号発生器１２は、マルチキャリア電気信号の周波数帯と異なる予め定められた周波数ｆｏのシングルキャリア電気信号を発生させる。一定の周波数ｆｏは、マルチキャリア電気信号の周波数帯ｆｓと異なる周波数である。一定の周波数ｆｏは、マルチキャリア電気信号の周波数帯ｆｓとは異なる周波数であり、周波数帯ｆｓよりも高くてもよいし、低くてもよい。例えば、衛星信号キャリアの周波数帯の低周波数側が１１．７２７ＧＨｚであれば、周波数ｆｏは１０ＧＨｚ程度である。図３に、図１に示すＢ点でのシングルキャリア電気信号の一例を示すスペクトルを示す。１０ＧＨｚのシングルキャリア電気信号が現れている。
【００２０】
シングルキャリア電気信号は、振幅が一定であることが好ましい。例えば、シングルキャリア信号発生器１２は、振幅が一定のシングルキャリア電気信号を発生させる。また、振幅を一定にする増幅器を備えていてもよい。シングルキャリア電気信号の振幅が一定であることで、シングルキャリア電気信号によって発生させる新たな光キャリアの振幅が一定となる。光キャリアの振幅が一定であることで、新たな光キャリア及び信号キャリアの高いサイドバンド抑圧度が得られるので、伝送距離の制限を受けずに光信号の伝送をすることができる。
【００２１】
周波数変換器１７は、マルチキャリア信号発生器１１の発生させたマルチキャリア電気信号の周波数帯を、シングルキャリア電気信号の周波数ｆｏだけ高くなるよう周波数変換する。周波数変換器１７は、例えば、マルチキャリア信号発生器１１の発生させたマルチキャリア電気信号の周波数帯ｆｓを、シングルキャリア信号発生器１２の発生させるシングルキャリア電気信号の周波数ｆｏだけ高周波数側にシフトさせる周波数アップコンバータである。本実施形態では、マルチキャリア電気信号の周波数帯ｆｓが１１．７２７ＧＨｚ〜１１．９９６ＧＨｚであり、シングルキャリア電気信号の周波数ｆｏが１０ＧＨｚであるので、周波数変換器１７は、マルチキャリア電気信号の周波数帯ｆｓを２１．７２７ＧＨｚ〜２１．９９６ＧＨｚに変換する。
【００２２】
図４に、図１に示すＣ点でのマルチキャリア電気信号の一例を示すスペクトルを示す。本実施形態では、キャリア数８のマルチキャリア電気信号が２１．７２７ＧＨｚ〜２１．９９６ＧＨｚの周波数帯に現れる。マルチキャリア電気信号による側波帯を衛星信号キャリアとして利用する。
【００２３】
合波器１３は、周波数変換器１７が周波数変換したマルチキャリア電気信号及びシングルキャリア信号発生器の発生させたシングルキャリア電気信号を合波して周波数多重信号を出力する。例えば、合波器１３は、マルチキャリア電気信号の周波数帯ｆｓ及びシングルキャリア電気信号の周波数ｆｏの周波数多重信号を出力する。
【００２４】
分岐器１８は、合波器１３の出力する周波数多重信号を分岐する。フェーズシフタ１９ａ、１９ｂは、分岐器１８の分岐する２つの周波数多重信号の位相差を９０°に調整する。例えば、分岐器１８は、周波数多重信号に含まれる複数の周波数の信号の位相を周波数ごとに選択的に９０°ずらして出力する。フェーズシフタ１９ａ及び１９ｂは、位相を９０°ずらした信号がキャリア抑圧光ＳＳＢ変調器２０に位相を９０°ずらしたまま入力されるように、位相を調整する。分岐器１８が周波数多重信号に含まれる信号の位相を９０°ずらさずに出力する場合は、フェーズシフタ１９ａ及び１９ｂが周波数多重信号に含まれる信号の位相差が９０°ずれた状態でキャリア抑圧光ＳＳＢ変調器２０に同時に入力されるように、位相を調整する。図５に、図１に示すＤ点での周波数多重信号の一例を示すスペクトルを示す。キャリア数８のマルチキャリア電気信号が２１．７２７ＧＨｚ〜２１．９９６ＧＨｚの周波数帯に、１本のシングルキャリア電気信号が１０ＧＨｚに現れている。Ｅ点でのマルチキャリア電気信号のスペクトルもほぼ同じである。
【００２５】
ここで、フェーズシフタ１９ａ、１９ｂにより、周波数多重信号に含まれる信号の位相を調整する際には、変調信号光のサイドバンド抑圧度が最大になるように調整することが好ましい。キャリア抑圧光ＳＳＢ変調器の種類にもよるが、例えば、Ｄ点とＥ点で位相がちょうど９０°異なるように調整する。また、キャリア抑圧光ＳＳＢ変調器２０に印加するバイアス電圧Ｖｂ１、Ｖｂ２及びＶｂ３は、変調信号光のサイドバンド抑圧度が最大になる電圧であることが好ましい。サイドバンド抑圧度が最大になっているか否かは、例えば、光スペクトルアナライザでＦ点での変調信号光の光スペクトルを測定することによって確認することができる。フェーズシフタ１９ａ、１９ｂの出力する周波数多重信号をキャリア抑圧光ＳＳＢ変調器２０に入力して、光源１６から出力されるキャリア光を光ＳＳＢ変調する。
【００２６】
光源１６は、波長が一定のキャリア光を発生させる。光源１６は、たとえば、ＤＦＢレーザなどの半導体レーザである。
【００２７】
キャリア抑圧光ＳＳＢ変調器２０は、波長が一定のキャリア光を２つに分岐し、フェーズシフタの調整する２つの周波数多重信号で強度変調し、強度変調した強度変調光の側波帯の一方の波長成分及びキャリア光の波長成分を抑圧するように合波する。キャリア光は、光源１６の出力する光である。フェーズシフタ１９ａ及び１９ｂの出力するそれぞれの周波数多重信号をキャリア抑圧光ＳＳＢ変調器２０に入力して、光源１６から出力されるキャリア光を光ＳＳＢ変調する。キャリア抑圧光ＳＳＢ変調器２０が抑圧する側波帯の一方の波長成分は、長波長側であってもよいし、短波長側であってもよい。例えば、キャリア抑圧光ＳＳＢ変調器２０は、短波長側の側波帯の波長成分と、キャリア光の波長成分と、を抑圧し、長波長側の側波帯の波長成分をキャリア抑圧光ＳＳＢ変調器２０から出力する。
【００２８】
図６は、キャリア抑圧光ＳＳＢ変調器の出力する変調信号光の一例を示す光スペクトルである。変調信号光の周波数は、フォトダイオードによって受信すれば、衛星信号キャリアの周波数帯ｆｓは、２１．７２７ＧＨｚから２１．９９６ＧＨｚまでの８つの周波数から、光キャリアの周波数１０ＧＨｚを差し引いた周波数である１１．７２７ＧＨｚから１１．９９６ＧＨｚまでの８つの衛星信号キャリアの周波数を含んでいる周波数帯ｆｓとなる。残った１０ＧＨｚ一定のシングルキャリア電気信号により変調された片側の側波帯を、新しい光キャリアとみなせば、もとの衛星信号キャリアの周波数で変調のかかった８つの衛星信号キャリアで変調のかかった片側の側波帯を有する光ＳＳＢ変調された変調信号光を得ることとなる。受信側では光キャリアを注入することなく復調を行うことができる。
【００２９】
ところで、新しい光キャリアを中心としては、残った８つの衛星信号キャリアで変調のかかった片側の側波帯の反対側には、変調された信号はまったく存在しないことになる。このことから、無限大のサイドバンド抑圧度を得ることとなる。さらに、新たにみなされた光キャリアが光ＳＳＢ送信装置からの出力光に存在するため、受信者側では、光キャリアを注入することなく復調が可能である。
【００３０】
（実施形態２）
図７は、本実施形態に係る光ＳＳＢ送信装置器の概略構成図である。本実施形態に係る光ＳＳＢ送信装置器は、実施形態１で説明した周波数変換器１７に代えて、マルチキャリア信号発生器１１の発生させたマルチキャリア電気信号を、シングルキャリア信号発生器１２で発生させたシングルキャリア電気信号で振幅変調する振幅変調器２１を備える。振幅変調器２１は、例えば、周波数帯ｆｓに分布するマルチキャリア電気信号のキャリアのそれぞれを、シングルキャリア電気信号の周波数ｆｏの入力信号で振幅変調する。振幅変調により、入力信号の周波数を高周波数側に周波数ｆｏだけシフトした信号と、周波数ｆｏの信号と、を出力することができる。後から周波数ｆｏの信号を重畳する必要がなくなる。なお、この場合、振幅変調器２１の出力には、入力信号の周波数を高周波数側に周波数ｆｏシフトした信号と、周波数ｆｏの信号と、さらに、マルチキャリア電気信号のそれぞれのキャリアの周波数と周波数ｆｏとの差の周波数を有する信号も現れる。このため、シングルキャリア電気信号の周波数ｆｏよりも低い周波数の信号を遮断し、入力信号の周波数を高周波数側に周波数ｆｏシフトした信号及び周波数ｆｏの信号を通過させる周波数フィルタ２２を、振幅変調器２１の後段に接続する必要がある。
【産業上の利用可能性】
【００３１】
本発明は、光伝送信号に利用することができる。
【図面の簡単な説明】
【００３２】
【図１】実施形態１に係る光ＳＳＢ送信装置の概略構成図である。
【図２】Ａ点でのマルチキャリア電気信号の一例を示す周波数スペクトルである。
【図３】Ｂ点でのシングルキャリア電気信号の一例を示す周波数スペクトルである。
【図４】Ｃ点でのマルチキャリア電気信号の一例を示す周波数スペクトルである。
【図５】Ｄ点での周波数多重信号の一例を示す周波数スペクトルである。
【図６】キャリア抑圧光ＳＳＢ変調器から出力される変調信号光の波長スペクトルである。
【図７】実施形態２に係る光ＳＳＢ送信装置器の概略構成図である。
【図８】従来のキャリア抑圧光ＳＳＢ送信装置の一例を示す概略構成図である。
【図９】従来のキャリア抑圧光ＳＳＢ送信装置の出力する変調信号光の一例を示す光スペクトルである。
【図１０】従来のキャリア非抑圧光ＳＳＢ送信装置の一例を示す概略構成図である。
【図１１】従来のキャリア非抑圧光ＳＳＢ送信装置の出力する変調信号光の一例を示す光スペクトルである。
【符号の説明】
【００３３】
１１  マルチキャリア信号発生器
１２  シングルキャリア信号発生器
１３  合波器
１６  光源
１７  周波数変調器
１８  分岐器
１９ａ、１９ｂ  フェーズシフタ
２０  キャリア抑圧光ＳＳＢ変調器
２１  振幅変調器
２２  周波数フィルタ
３１  ＤＦＢレーザ
３２  マルチキャリア信号発生器
３３、３７  カプラ
３４ａ、３４ｂ  フェーズシフタ
３５  キャリア非抑圧光ＳＳＢ変調器
３６  キャリア抑圧光ＳＳＢ変調器
５０  光キャリア
５１ａ  シングルキャリア電気信号により発生した上側側波帯
５１ｂ  シングルキャリア電気信号により発生した下側側波帯
５２ａ  マルチキャリア電気信号により発生した上側側波帯
５２ｂ  マルチキャリア電気信号により発生した下側側波帯
【図１】
2008271072.tif 000003
【図２】
2008271072.tif 000004
【図３】
2008271072.tif 000005
【図４】
2008271072.tif 000006
【図５】
2008271072.tif 000007
【図６】
2008271072.tif 000008
【図７】
2008271072.tif 000009
【図８】
2008271072.tif 000010
【図９】
2008271072.tif 000011
【図１０】
2008271072.tif 000012
【図１１】
2008271072.tif 000013